(57)【特許請求の範囲】
【請求項１】
送気口を有し薬液を入れた薬液ボトルと、前記送気口に接続され薬液吸込み用の吸入口を有する霧化ノズルと、前記薬液ボトルに取付けられ送風口を有するマウスピースとを備え、前記薬液ボトルの送気口と前記マウスピースの送風口とより夫々異なるポンプにより空気を供給するようにした吸入器であって、ケース内に配置された夫々ダイヤフラム部と駆動部とを備えポンプ室を有している複数のダイヤフラム本体と、前記複数のダイヤフラム本体をそのうちの一部のダイヤフラム本体の組と残りのダイヤフラム本体の組とに分け夫々の組毎に各ダイヤフラム本体の近くに設けられていて弁を介してポンプ室に接続する共通の弁室と、各ポンプ室に弁を介して接続された吸入口と、前記各組の共通の弁室に夫々設けられた吐出口とを備え、前記各ダイヤフラム本体の駆動部が一つの駆動体に取付けられ該駆動体の運動により夫々位相差をもってポンプ作用を行なうことにより両吐出口共に空気を排出するようにしたポンプ装置を更に備え、前記ポンプ装置による一方の排出口より排出される空気を前記薬液ボトルの送風口へ供給し、他方の排出口より排出される空気を前記マウスピースの送風口へ供給するようにした吸入器。
【発明の詳細な説明】
【０００１】
【産業上の利用分野】
本発明は喉部の消毒、治療のために用いられるコンプレッサーを使用した吸入器に関するものである。
【０００２】
【従来の技術】
コンプレッサー（ポンプ）を使用した吸入器は、図１１に示す構成であって、１は薬液２を入れた吸気口１ａを有するボトル、３は薬液吸入口４を持つ霧化ノズル、５は薬液ボトル１の上に取り付けた外気導入口６を有するマウスピースである。
【０００３】
【発明が解決しようとする課題】
このような構造の従来のコンプレッサーを使用した吸入器は、ポンプ８に電力を供給し加圧された空気が気送管７を通り霧化ノズル３で薬液吸入口４から吸入した薬液２と空気により薬液の霧を作り外気導入口６より流入した空気が加わりマウスピース５の先端から排出される。
【０００４】
しかし、この従来の吸入器は、それに用いるポンプ８が霧化薬液排出量及び霧粒子微細化のために大容量でなければならず、小型化、低コスト化を図ることがむずかしい。
【０００５】
本発明は、ポンプを小型化しこれにより全体を小型化した吸入器を提供するものである。
【０００６】
【課題を解決するための手段】
本発明の吸入器は、薬液を入れた薬液ボトルと、薬液ボトルに取付けられたマウスピースと、薬液ボトルに設けられた送気口に取り付けられている薬液吸入口を備えた霧化ノズルと、マウスピースに設けられた送風口とを設けたもので、加圧ポンプよりの空気を薬液ボトルに設けた送気口とマウスピースの送風口の両方から供給するようにした。これにより小容量のポンプを使用しても十分な薬液排出量で微細粒子の薬液の霧の排出を可能にした。
【０００７】
又本発明の吸入器は、前記の通りの構成で、両ポンプを一つの駆動機構により駆動するようにした。
【０００８】
又本発明の吸入器は、前記のような構成であって、空気を供給するポンプ装置にも特徴を有するものである。
【０００９】
即ち、本発明で用いるポンプ装置は、ケース内に配置されているポンプ室を有する複数のダイヤフラム本体を備えており、これらダイヤフラム本体を少なくとも一つのダイヤフラム本体と残りのダイヤフラム本体とよりなる二組に分け、夫々の組に共通の弁室と弁室に接続する吐出口を有するもので、一つの駆動機構の駆動によってすべてのダイヤフラム部が夫々ポンプ作用を行なうと共に、夫々の組のダイヤフラム本体のポンプ作用による空気の排出が夫々共通の弁室を通じて吐出口よりなされるようにして、一つの駆動機構の駆動による二つのポンプ作用（二つの吐出口よりの空気の供給）を行なうようにしている。そのために、ダイヤフラム部と駆動部とよりなる各ダイヤフラム本体の駆動部を取付け、駆動体のすりこぎ運動によって各ダイヤフラム本体の駆動部が位相差を有する運動を行なうようにし、これにより夫々のダイヤフラム本体の位相差を有するポンプ作用にて各組毎にポンプ室より共通の弁室を通って吐出口より空気を送り出すようにしたもので、これにより一つの駆動体の運動により両吐出口より同時に空気を供給することが可能になる。
【００１０】
【実施例】
次に本発明の吸入器の実施例を図面にもとづいて説明する。
【００１１】
図１は本発明の吸入器の実施例を示す図で、図において１は送気口１ａを有し薬液２を入れたボトル、３は吸入口４を持つ霧化ノズル、５はボトル１に取付けられたマウスピースでこれらの構成は、従来例と同様である。
【００１２】
１１はポンプで、一方は送気管１２により送気口１ａに連結され、又他方は送気管１３により流量調整部１４を通じてマウスピース６に設けられた送風口１５に接続されている。
【００１３】
この実施例の吸入器は、ポンプ１１により送気管１２を介して加圧された空気が霧化ノズル３に送られ、これにより薬液２が霧化される。一方送気管１３より送られた空気は、流量調整部１４により適切な流量として送風口１５よりマウスピース６に送られ霧化された薬液はマウスピースより排出する。
【００１４】
この実施例では、霧化された薬液を供給する空気は、ノズルに送る薬液を霧化するために空気とは別のポンプからの空気を用いているため、大容量のポンプを用いなくともよく、ポンプを小型化出来又吸入器全体も小型化できる。
【００１５】
この実施例で用いるポンプ１１は、空気を送気管１２へ送るポンプと送気管１３へ送るポンプの二つのポンプより構成されている。これら二つのポンプは、一つの駆動源による一つの駆動機構により働かせることが可能である。
【００１６】
以下、本発明の吸入器で用いられる駆動機構も含めたポンプの例を述べる。
【００１７】
図２、図３は本発明の吸入器で用いるポンプを示し、これら図において、２１はモーター、２３はモーター２１の出力軸２２に固定された偏芯カム、２４はボールベアリング２５を介して偏芯カム２３に取付けられたコネクチングロッド、２６は連結体でコネクチングロッド２４に連結軸２７およびボールベアリング２８を介して連結されている。
【００１８】
又３１，３２は夫々ポンプで、ケース３３，３４、これらケース３３，３４に固定されたダイヤフラム３５，３６にてポンプ室３７，３８を形成する。このダイヤフラム３５，３６は夫々連結体２６の両端に取り付けられている。
【００１９】
又各ポンプ室３７，３８には夫々吸気弁３９，４０および排気弁４１，４２を有している。
【００２０】
この図２、図３に示すポンプ装置は、モーター２１の駆動による出力軸２２の回転により、偏芯カム２３、コネクチングロッド２４、連結軸２７を通じて連結体２６が往復運動する。この運動によりダイヤフラム３５，３６の変形にもとづくポンプ室３７，３８の容積の変化によって、吸気口よりポンプ室３７内への吸気、続いてポンプ室３７より排気口より排出され、同様に吸気口よりポンプ室３８内への吸気とポンプ室３８よりの排気とが行なわれる。
【００２１】
このように、図２、図３に示すポンプ装置によれば、一つのモーター２１の駆動によって、ポンプ３１とポンプ３２が働く。
【００２２】
ここでこの図２、図３に示すポンプ装置を、図１に示す本発明の吸入器のポンプ１１として用いれば、つまり図２、図３に示すポンプ装置のポンプ３１の排気口を送気管１２に又他のポンプ３２を送気管１３に接続すれば、一つの駆動機構により二つのポンプを作動させることが出来、薬液を霧化させるための気送とマウスピースよりの送風とを一つの駆動機構により行なうことが出来る。
【００２３】
次に本発明の吸入器で用いられるポンプ装置の他の例について述べる。図４はこのポンプ装置の平面図、図５は図４のＡ−Ａ線断面図で、図５において５１はモーター、５２はモーター５１の出力軸、５３はケース、５４は出力軸５２に固定されたカラー、５５はカラー５４に傾斜させて固定された駆動軸、５６は駆動軸５５に取付けられた駆動体、５７はダイヤフラム本体である。このダイヤフラム本体５７は弾性体よりなる釣鐘状のダイヤフラム部５８と駆動部５９とよりなっている。このポンプ装置では、同じ大きさ形状の四つのダイヤフラム本体５７が夫々駆動部５９を駆動体５６に取付けることにより、図４に示すように同一円周上に等間隔に配置されている。そしてこれらダイヤフラム本体が一体に形成されていて四つのポンプ室７１，７２，７３，７４を形成している。又６０はケース５３の上部に固定された蓋体で、各ポンプ室に対応して夫々吸入口６１および弁６２が設けられている。又図６は図４における線Ｂ−Ｂ方向の断面図であって、二つのポンプ室７３，７４の間には、弁体６３に対応した弁室６４が設けられこの弁室６４は、溝７３ａ，７４ａによりダイヤフラム部５８により形成されている二つのポンプ室７３，７４に夫々に通じている。ただし、この溝７３ａ，７４ａの部分は、図６から明らかなように常時は、弁体６３により塞がれている。又弁室６４は吐出口７６に接続されている。一方他の二つのポンプ室７１，７２は、図示していないが同様に他の弁体に対応した他の弁室に溝７１ａ，７２ａを通じて接続され更に吐出口７５に接続されている。
【００２４】
この図４，図５，図６に示すポンプ装置は、モーター５１の駆動によりその出力軸５２が回転することによりこれに固定されているカラー５４が回転し、それにともないカラー５４に傾斜させ固定されている駆動軸の運動により駆動体５６がすりこぎ運動をする。この駆動体５６の運動によりこれに取付けられている各ダイヤフラム本体５７の駆動部５９が上下動してポンプ６５の容積が変化して、ポンプ作用が行なわれる。このポンプ作用は、一方の弁室に隣接する二つのダイヤフラム部の働きによりポンプ室７１，７２の上部の吸入口より空気が吸入されて一方の弁体を開いて溝７１ａ，７２ａを通り一方の弁室から吐出口７５へ、又他方の弁室に隣接する二つのダイヤフラム部の働きにポンプ室７３，７４の上部の吸入口より空気が吸入され他方の弁体を開いて溝７３ａ，７４ａを通り他の弁室から吐出口７６へ夫々吐出されることにより行なわれる。これらポンプ作用は、モーター５１、駆動部５５、駆動体５６等からなる一つの駆動機構の駆動によって二つの吐出口７５，７６共に行なわれ両吐出口からはいずれも空気が排出される。
【００２５】
この図４，図５，図６に示すポンプ装置において、二つの吐出口のうちの一方を送気管１２又他方を送気管１３に接続することによって、本発明の吸入器を働かすことが出来る。
【００２６】
このポンプ装置は、前述のように四つのポンプ室のうち二つのポンプ室が一つの吐出口、他の二つのポンプ室が他の吐出口に接続するような構成になっている。
【００２７】
上記のポンプ装置は、従来知られたこの種のポンプ装置とは異なり、複数のポンプ室を二つの組に分け、夫々の組の各ポンプ室に弁を介して通ずる二つの弁室上に設けられた夫々の吐出口を設けることによっって、小型なポンプ装置であって二つの吐出口より同時に空気を供給して同時に２個所に空気を送るようにした新規なポンプ装置を構成したものである。
【００２８】
即ち、図４，５，６において、ポンプ室７１とポンプ室７２とが第１の組であり、これらポンプ室は溝７１ａと溝７２ａを通じて共通の弁室から吐出口７５へ連通され、残りのポンプ室７３とポンプ室７４とが第２の組であり、溝７３ａと溝７４ａを通じて共通の弁室から（吐出口７５へ通ずる弁室とは別の弁室）から吐出口７６へ連通されている。これによって一つのポンプ装置で二つの吐出口より異なる二つの個所に同時に空気を供給する新規なポンプ装置を構成している。
【００２９】
この新規なポンプ装置を、本発明の吸入器に用いれば好適である。
【００３０】
しかし、上記のポンプ装置において図７，図８，図９に示すように、四つのポンプ室のうち、三つのポンプ室と一つの吐出口又一つのポンプ室と一つの吐出口の組み合わせでもよい。
【００３１】
即ち、図７において、上方の一つのポンプ室７１と左右の二つのポンプ室７２，７４の三つのポンプ室を一つの組（第１の組）とし、これらポンプ室が夫々溝７１ａ，７２ａ，７４ａにより弁を挟んで中央の吐出口７５に、更に残りの組（第２の組）である下方の一つのポンプ室７３は溝７３ａにより弁を挟んで他の吐出口７６に接続されている。これら三つのポンプ室７１，７２，７４の吐出口７５への接続は、図７におけるＣ−Ｃ線に沿った断面図である図８の通りで、図４，図５に示す実施例と実質上同じ方法で又ポンプ室７３の吐出口７６への接続は、図７における線Ｄ−Ｄに沿った断面図である図９に示す通りである。
【００３２】
この実施例は、吐出口７５からの空気の流量は、吐出口７６からの空気の流量より大である。したがってこのポンプを本発明の吸入器に用いる場合、吐出口７５を薬液ボトルの送気口側へ又吐出口７６をマウスピースに設けられた送風口に接続すればよい。つまり薬液ボトルに供給される空気は薬液の霧化に用いられ流量を大にする必要がある。逆にマウスピースへ供給する空気は、大きな流量を必要とせず、したがってこの図７に示すポンプを用いる場合、流量調節を不要とすることも出来る。
【００３３】
更にポンプ装置として三つのポンプ室を有するダイヤフラムポンプを用いることもできる。つまり図１０に示すように、ポンプ装置の中心点に対して１２０°間隔で同一円周上に三つのポンプ室を配置したダイヤフラムポンプで、構成や作用は、ポンプ室が三つであり、その配置が若干異なる点を除けば、図示する他のダイヤフラムポンプと実質上同じである。
【００３４】
この三つのポンプ室よりなるダイヤフラムポンプは、図７に示すダイヤフラムポンプの吐出口７５，７６に相当する吐出口を図１０に示すように配置したもので、吐出口７５を一つの組（第１の組）である二つのポンプ室７１，７２と夫々溝７１ａ，７１ｂにより弁を介して接続し、又吐出口７６を残りの組（第２の組）である一つのポンプ室７３と接続している。これらポンプ室と吐出口との接続方法も、図７に示すポンプ装置と実質上同じで、図１０の線Ｃ−Ｃ上の二つのポンプの接続は、図７の線Ｃ−Ｃに沿った断面図（図８）と実質上同じ構造の接続方法で、又図１０の線Ｄ−Ｄ線のポンプ室７３の個所は図７の線Ｄ−Ｄ線に沿った断面図（図９）と実質上同じ方法で接続出来る。
【００３５】
この図に示すようなポンプ室の配置のダイヤフラムポンプ装置も、吐出口７５より排出される空気の流量が大であり、吐出口７６より排出される空気の流量は小である。
【００３６】
図７〜図９に示すダイヤフラムポンプ装置や、図１０に示すダイヤフラムポンプ装置は、前述のように二つの吐出口からの空気量が異なっている。又、図４〜図６に示すダイヤフラムポンプの場合も、ポンプ室の径つまりダイヤフラム部の径を変える等、最大容積の時のダイヤフラム部の容積を各ダイヤフラム本体毎に変えることによって、両吐出口よりの空気量が異なるようにすることが可能である。
【００３７】
又各ポンプ室の容積の選択によって両吐出口から出る空気量の比が所望の値となるように設定することが出来る。
【００３８】
更に図７〜図９や、図１０の構成のダイヤフラムポンプの場合も、各ポンプ室の最大容積を異なる容積とすることが可能であり、両吐出口よりの空気量の比を所望値に設定出来る。
【００３９】
以上の実施例で用いているポンプ装置は、いずれも本発明の吸入器で用いることによって大きな効果が得られる。
【００４０】
しかし本発明の吸入器以外にも同時に二つのポンプよりの空気の供給を必要とするものが知られている。それら機器や装置に、各ポンプ装置を用いることも可能である。
【００４１】
特に図４〜図６、図７〜図９、図１０等に記載したポンプ装置は、この種の従来のダイヤフラムポンプを改良することにより本発明の吸入器等のように複数のポンプより別々に空気を供給することを必要とする機器、装置に対して一つのポンプ装置特に一つの駆動部による複数のポンプを働かせ得るようにしたものである。
【００４２】
即ち、ケース５３内に配置されているダイヤフラム部５８と駆動部５９とを備えていてポンプ室を形成する複数のダイヤフラム本体５７を有し、これらダイヤフラム本体５７（各ポンプ室７１，７２・・・）をそのうちの一部である少なくとも一つのダイヤフラム本体（ポンプ室）の組（第１の組）と残りのダイヤフラム本体（ポンプ室）の組（第２の組）とに分け夫々の組（第１および第２の組）毎に各ダイヤフラム本体５７の近くに設けられていて弁を介してポンプ室に接続する共通の弁室（第１の組の共通の弁室と第２の組の共通の弁室の二つの弁室）と、各ポンプ室６５に弁６２を介して接続された吸入口６１と、各組（第１と第２の夫々の組）の共通の弁室６４に夫々設けられた吐出口６５，６６とを更に有していて、各ダイヤフラム本体５７の駆動部５９が一つの駆動体５６に取付けられていてこの駆動体５６の運動によって夫々位相差をもってポンプ作用を行なうことにより両吐出口６５，６６（第１の組の吐出口と第２の組の吐出口）から空気を排出するようにした新規な構成のポンプである。
【００４３】
このように前記のポンプ装置自体新規な構成であり又進歩性を有するもので、二系統を同時に供給し得る装置に用いれば極めて効果的である。
【００４４】
したがって図４〜図６等のポンプ装置は、ポンプ装置自体が新規であり、又進歩性をも有するものである。
【００４５】
【発明の効果】
本発明の吸入器は、薬液の霧を作るために供給される空気の他に霧状の薬液を排出するための空気流を形成するための送風を行なうことにより空気を供給するためのポンプが小型になり吸入器自体も小型になり得る。
【図面の簡単な説明】
【図１】本発明の吸入器の実施例の構成を示す図
【図２】本発明の吸入器で用いるポンプ装置の一例を示す正面図
【図３】上記ポンプ装置の断面図
【図４】本発明の吸入器で用いるポンプ装置の他の例を示す平面図
【図５】図４におけるＡ−Ａ線断面図
【図６】図４におけるＢ−Ｂ線断面図
【図７】本発明の吸入器で用いる他のポンプ装置の平面図
【図８】図７におけるＣ−Ｃ線断面図
【図９】図７におけるＤ−Ｄ線断面図
【図１０】本発明の吸入器で用いる更に他のポンプ装置の平面図
【図１１】従来の吸入器の断面図
【符号の説明】
１      薬液を入れたボトル
２      薬液
３      霧化ノズル
５      マウスピース
１１    ポンプ
１５    送風口
【図１】
0003595912.tif 000002
【図２】
0003595912.tif 000003
【図３】
0003595912.tif 000004
【図４】
0003595912.tif 000005
【図５】
0003595912.tif 000006
【図６】
0003595912.tif 000007
【図７】
0003595912.tif 000008
【図８】
0003595912.tif 000009
【図９】
0003595912.tif 000010
【図１０】
0003595912.tif 000011
【図１１】
0003595912.tif 000012